(57)【要約】【課題】  ユーザーが希望した要求スペックのエンジンオイルを提供する際に、ブレンドしたものが希望した要求スペックに合致しているものであることを、ユーザーに対して明確に確認させることができる、新規なオイル粘度チェッカー並びにこれを用いたオイル供給システムの開発を技術課題とした．【解決手段】  上下に延び、内部が透視できるオイル充填ケース５１に対し、その内部に形成されているオイル室５３に、適宜粘度のオイルと、このオイル内においてオイル室５３内を移動することのできるインジケータ錘５４とを収納することによってオイル充填体５０を構成し、前記オイル室５３の下方に待機しているインジケータ錘５４を、オイル充填体５０の姿勢を上下反転させることによって、下方に移動させ、その落下状態によりオイル粘度を視覚認識して判定するようにしたことを特徴として成る。【選択図】図２
2011133432.tif 000002
【特許請求の範囲】
【請求項１】
上下に延び、内部が透視できるオイル充填ケースに対し、その内部に形成されているオイル室に、適宜粘度のオイルと、このオイル内においてオイル室内を移動することのできるインジケータ錘とを収納することによってオイル充填体を構成し、前記オイル室の下方に待機しているインジケータ錘を、オイル充填体の姿勢を上下反転させることによって、下方に移動させ、その落下状態によりオイル粘度を視覚認識して判定するようにしたことを特徴とするオイル粘度チェッカー。
【請求項２】
前記オイル充填体は、それぞれ粘度の異なるオイルを充填したものが複数基連接的に設けられ、これらのオイル充填体を同時に上下反転させることにより、上方に位置することとなったインジケータ錘の落下状態の差を、各オイルの粘度の差として視覚認識できるようにしたことを特徴とする請求項１記載のオイル粘度チェッカー。
【請求項３】
二種以上の粘度の異なるオイルをブレンド基材オイルとして用意し、ユーザーの要望に応じてブレンド基材オイルの混合比を調節し、要求された粘度のオイルを調合してユーザーに提供するオイル供給システムにおいて、前記調合したオイルをサンプリングするとともに、このサンプルを、上下に延び、内部が透視できるオイル充填ケースのオイル室に、インジケータ錘とともに位置させることによりサンプル用のオイル充填体を構成し、このサンプル用のオイル充填体におけるインジケータ錘の落下状態と、前記請求項１または２記載のオイル粘度チェッカーにおけるオイル充填体におけるインジケータ錘の落下状態とを比較することにより、調合されたオイルが、ユーザーの要求粘度に合致しているか否かをチェックすることができるように構成されていることを特徴とするオイル粘度チェッカーを用いた供給システム。
【請求項４】
二種以上の粘度の異なるオイルをブレンド基材オイルとして用意し、ユーザーの要望に応じてブレンド基材オイルの混合比を調節し、要求された粘度のオイルを調合してユーザーに提供するオイル供給システムにおいて、前記調合したオイルをサンプリングするとともに、このサンプルの色と、前記請求項１または２記載のオイル粘度チェッカーにおけるオイルの色とを比較することにより、調合されたオイルが、ユーザーの要求粘度に合致しているか否かをチェックすることができるように構成されていることを特徴とするオイル粘度チェッカーを用いた供給システム。
【発明の詳細な説明】
【技術分野】
【０００１】
本発明は、注文に応じた粘度のエンジンオイルを提供できるようにし、且つ注文内容に合致しているか否かを確認することのできる、オイル粘度チェッカー並びにこれを用いたオイル供給システムに係るものである。
【背景技術】
【０００２】
自動車、モーターサイクルのユーザーの中で、エンジン保守等を自ら行ういわゆるマニアは、エンジンオイルの選定に当たっても自らの判断による厳格な要求を持っている。
この場合、多くはオイル粘度やグレードを基準に種々の市販品を選定するものであるが、その要求が更に厳格化すると、必ずしも市販品では応じ切れない。
このような多様な市場要求に供給側が応えるとなると、実際には多種小数ロットの製品を用意することが必要となり、現実には対応が難しい。
そして前記要求に応じる手法として、幾つかのブレンド基材オイルを用意し、これらをユーザーが希望に応じてブレンドすることも行われている（例えば非特許文献１参照。）。この場合、例えば標準的な４リットル入り缶で複数種のブレンド基材オイルを購入した場合には、ブレンド基材オイルの使用量が要求に応じて偏るため、一部のブレンド基材オイルが余ることは避けられず、この余ったオイルは次回のオイル交換時までには劣化してしまうため、目的とした利用が充分になされない結果となる。
【０００３】
上述のようなオイルの無駄を引き起こさないためには、店頭でユーザーの希望に応じてブレンドを行うとともに供給することが考慮し得る。このとき、購入したユーザーとしては、ブレンドされたものが希望した要求スペック（粘度等）に合致しているものであるとの確認を希望するものであって、この確認が充分に成されないときには、システムとしては考慮し得ても、商業的には充分な普及が期待できない。
【先行技術文献】
【非特許文献】
【０００４】
【非特許文献１】株式会社エッチ・ケー・エス、ＰＲＯ  ＯＩＬ  ＳＥＲＩＥＳ、インターネット＜ＵＲＬ：http://www.hks-power.co.jp/products/oil/pro/index.html＞
【発明の概要】
【発明が解決しようとする課題】
【０００５】
本発明はこのような背景から成されたものであって、ユーザーが希望した要求スペックのエンジンオイルを提供する際に、ブレンドしたものが希望した要求スペックに合致しているものであることを、ユーザーに対して明確に確認させることができる、新規なオイル粘度チェッカー並びにこれを用いたオイル供給システムの開発を技術課題としたものである。
【課題を解決するための手段】
【０００６】
すなわち請求項１記載のオイル粘度チェッカーは、上下に延び、内部が透視できるオイル充填ケースに対し、その内部に形成されているオイル室に、適宜粘度のオイルと、このオイル内においてオイル室内を移動することのできるインジケータ錘とを収納することによってオイル充填体を構成し、前記オイル室の下方に待機しているインジケータ錘を、オイル充填体の姿勢を上下反転させることによって、下方に移動させ、その落下状態によりオイル粘度を視覚認識して判定するようにしたことを特徴として成るものである。
【０００７】
また請求項２記載のオイル粘度チェッカーは、前記要件に加え、前記オイル充填体は、それぞれ粘度の異なるオイルを充填したものが複数基連接的に設けられ、これらのオイル充填体を同時に上下反転させることにより、上方に位置することとなったインジケータ錘の落下状態の差を、各オイルの粘度の差として視覚認識できるようにしたことを特徴として成るものである。
【０００８】
また請求項３記載のオイル粘度チェッカーを用いたオイル供給システムは、二種以上の粘度の異なるオイルをブレンド基材オイルとして用意し、ユーザーの要望に応じてブレンド基材オイルの混合比を調節し、要求された粘度のオイルを調合してユーザーに提供するオイル供給システムにおいて、前記調合したオイルをサンプリングするとともに、このサンプルを、上下に延び、内部が透視できるオイル充填ケースのオイル室に、インジケータ錘とともに位置させることによりサンプル用のオイル充填体を構成し、このサンプル用のオイル充填体におけるインジケータ錘の落下状態と、前記請求項１または２記載のオイル粘度チェッカーにおけるオイル充填体におけるインジケータ錘の落下状態とを比較することにより、調合されたオイルが、ユーザーの要求粘度に合致しているか否かをチェックすることができるように構成されていることを特徴として成るものである。
【０００９】
更にまた請求項４記載のオイル粘度チェッカーを用いたオイル供給システムは、二種以上の粘度の異なるオイルをブレンド基材オイルとして用意し、ユーザーの要望に応じてブレンド基材オイルの混合比を調節し、要求された粘度のオイルを調合してユーザーに提供するオイル供給システムにおいて、前記調合したオイルをサンプリングするとともに、このサンプルの色と、前記請求項１または２記載のオイル粘度チェッカーにおけるオイルの色とを比較することにより、調合されたオイルが、ユーザーの要求粘度に合致しているか否かをチェックすることができるように構成されていることを特徴として成るものである。
そしてこれら各請求項記載の発明の構成を手段として前記課題の解決が図られる。
【発明の効果】
【００１０】
まず請求項１記載の発明によれば、所定の粘度のオイルが充填されたオイル充填体と、ユーザーの希望に応じて調合されたオイルが充填されたオイル充填体とを用意し、それぞれのインジケータ錘の落下状態を比較することにより、ユーザーの希望に応じて調合されたオイルの粘度を確認することが可能となる。また同時に、オイルの色を比較することにより、ユーザーの希望に応じて調合されたオイルの粘度を確認することが可能となる。
【００１１】
また請求項２記載の発明によれば、  所定の粘度のオイルが充填された  複数の  オイル充填体と、ユーザーの希望に応じて調合されたオイルが充填されたオイル充填体とを用意し、それぞれのインジケータ錘の落下状態を比較することにより、ユーザーの希望に応じて調合されたオイルの粘度を確認することが可能となる。また同時に、オイルの色を比較することにより、ユーザーの希望に応じて調合されたオイルの粘度を確認することが可能となる。
【００１２】
また請求項３記載の発明によれば、ユーザーが希望したスペックのオイルを、異なるブレンド基材オイルの混合比を調節することにより調合し、更にブレンドされたものが希望したスペックに合致しているものであるか否かを、インジケータ錘の落下速度としてユーザーに対して明確に確認させることができる。
【００１３】
更にまた請求項４記載の発明によれば、ユーザーが希望したスペックのオイルを、異なるブレンド基材オイルの混合比を調節することにより調合し、更にブレンドされたものが希望したスペックに合致しているものであるか否かを、オイルの色としてユーザーに対して明確に確認させることができる。
【図面の簡単な説明】
【００１４】
【図１】本発明のオイル供給システムを示す正面図である。
【図２】オイル粘度チェッカーを示す正面図並びにオイル充填体を示す斜視図である。
【図３】インジケータ錘が落下している状態のオイル粘度チェッカーを示す正面図である。
【図４】オイルタイプを選定するためのチャートである。
【図５】車種とオイルタイプとからオイル粘度を選定するための表である。
【図６】オイル粘度に対応したブレンド基材オイルの混合比を示す表である。
【図７】オイル充填体の配置を異ならせたオイル粘度チェッカーを示す斜視図である。
【図８】形態を異ならせたインジケータ錘を示す斜視図である。
【図９】形態を異ならせたオイル供給システムを示す正面図及び平面図である。
【発明を実施するための形態】
【００１５】
本発明のオイル粘度チェッカー並びにこれを用いたオイル供給システムの最良の形態は以下の実施例に示すとおりであるが、この実施例に対して本発明の技術的思想の範囲内において適宜変更を加えることも可能である。
【実施例】
【００１６】
以下、本発明のオイル粘度チェッカー５並びにこれを用いたオイル供給システムＳについて、基本となる実施例の構成を説明した後、その作動態様について説明する。
まずオイル供給システムＳは図１に示すように、架台１と、ポンプ２と、ミキサ３と、オイル粘度チェッカー５とを具えて構成されるものである。
そして前記架台１にそれぞれ低粘度ブレンド基材オイル６、高粘度ブレンド基材オイル７が収容されたオイル缶Ｃ（Ｃ６、Ｃ７）をセットすることにより、ポンプ２の操作により所定量の低粘度ブレンド基材オイル６及び高粘度ブレンド基材オイルを容器８を用いてミキサ３に投入し、ここで混合することにより、ユーザーが希望したスペックのエンジンオイルが調合されるものである。
そしてユーザーは、サンプル用のオイル充填体５０Ｓにおけるインジケータ錘５４Ｓの落下状態と、オイル粘度チェッカー５におけるオイル充填体５０におけるインジケータ錘５４の落下状態（落下速度等）とを比較することにより、あるいはオイル充填体５０Ｓにおけるオイルの色と、オイル粘度チェッカー５におけるオイル充填体５０におけるオイルの色とを比較することにより、ユーザーの要求粘度に合致しているか否かをチェックすることができるというものである。
【００１７】
以下、オイル供給システムＳの構成要素について説明を行う。
まず前記架台１は、台座１０の後部に背板１１が立ち上げられるとともに、背板１１の中程に棚板１２が具えられて構成されている。また前記台座１０の下部にはキャスタ１３が具えられる。
【００１８】
次に前記ポンプ２について説明すると、このものは一例として、いわゆるハンドポンプが適用される。
そしてポンプ２は、吸込管２１がオイル缶Ｃ（容量２０リットル程度）内に位置するようにセットされるものであり、流出管２２の吐出端が棚板１２の上方に位置するように引き回される。
なお前記ポンプ２は、市場に流通しているオイル缶Ｃに直接装着できるものであるため、オイルの詰め替え作業が不要であり、いわゆるカートリッジ交換の要領でオイル缶Ｃを交換することにより、オイルの補充が実質的に行われるものであるため、小中規模の販売業者にとって非常に扱い易いものとなっている。
またオイル缶Ｃ６、Ｃ７に装着されるポンプ２をそれぞれポンプ２０６、２０７と符号を付す。
【００１９】
次に前記ミキサ３について説明すると、このものはミキサ本体３０内に図示しない攪拌体が具えられるものであり、この攪拌体に接続されたハンドル３１を回転させることにより、注油口３２からミキサ本体３０内に注入されたオイルを混合するための装置である。なおミキサ本体３０の底部には、コックレバー３４が具えられた排出管３３が接続されている。
【００２０】
次に前記オイル粘度チェッカー５について説明すると、このものは図２（ａ）に示すように、上下に延び、内部が透視できるオイル充填ケース５１内部のオイル室５３に、適宜粘度のオイルと、このオイル内においてオイル室５３内を移動することのできるインジケータ錘５４とを位置させた後、蓋５２によって封印することによってオイル充填体５０を構成するとともに、粘度の異なるオイルを充填したオイル充填体５０を複数基、ケース５６内に複数基連接的に設けて成るものである。
なおこの実施例では、前記インジケータ錘５４を楕円球形状のものとしたが、球形、円柱形等種々の形態を採ることができる。
またこの実施例では、複数のオイル充填体５０を横に隣接するように配設した。
更にまたこの実施例では、前記オイル室５３内にオイルを充満させることなく、気泡５５ができるように、適宜の位置にマーカーＭを付するとともに、この高さまでオイルを充填するようにした。
また個々のオイル充填体５０を区別するときには、三桁の符号を付するものであり、オイル充填体５０１、５０２、５０３・・・５０９等とする。
【００２１】
なおこの実施例では一例として、二種のブレンド基材オイルを用意するものであり、粘度０Ｗ−２０のものを低粘度ブレンド基材オイル６とし、粘度１０Ｗ−５０のものを高粘度ブレンド基材オイル７とした。もちろん三種以上のブレンド基材オイルを用意してもよい。
そしてオイル充填体５０１に低粘度ブレンド基材オイル６を充填し、またオイル充填体５０９に高粘度ブレンド基材オイル７を充填するとともに、オイル充填体５０２、５０３、５０４、５０５、５０６、５０７及び５０８にそれぞれ、粘度が２．５Ｗ−２５のもの、２．５Ｗ−３０のもの、５Ｗ−３０のもの、５Ｗ−３５のもの、５Ｗ−４０のもの、７．５Ｗ−４０のもの、１０Ｗ−４５のものを充填した。
またケース５６の上部には、それぞれのオイル充填体５０内のオイルに対応する粘度を表示する粘度表示５７が記される。
【００２２】
なお前記オイル充填体５０２、５０３、５０４、５０５、５０６、５０７及び５０８に充填されるオイルは、前記低粘度ブレンド基材オイル６及び高粘度ブレンド基材オイル７を所定の比率で混ぜ合わせることにより調合されたものであって、上述したようにそれぞれ粘度が異なることに加え、更にその色彩がグラデーションがかかった状態になっている。これは、前記低粘度ブレンド基材オイル６の色彩が黄色であり、また高粘度ブレンド基材オイル７の色彩が緑色であることに起因するものである。
【００２３】
そして前記オイル粘度チェッカー５を上下反転させることにより、個々のオイル充填体５０１〜５０９を同時に上下反転させることができ、上方に位置することとなったインジケータ錘５４の落下状態の差を、各オイルの粘度の差として視覚認識することが可能となるものである。
ここで前記インジケータ錘５４の落下状態とは、落下速度、落下開始から底部に到着するまでの時間、回転状態等を意味するものである。
更に、実際に調合したオイルをサンプリングし、このサンプルをインジケータ錘５４Ｓとともにオイル充填ケース５１Ｓに収容することにより、オイル充填体５０Ｓが構成される。
因みにオイル充填体５０Ｓを図３（ａ）に示すように、前記オイル粘度チェッカー５とは別体として構成したり、図３（ｂ）に示すように、前記オイル粘度チェッカー５と一体化して構成したり、更にはオイル充填体５０Ｓを、オイル粘度チェッカー５に対して着脱可能に構成することもできる。
【００２４】
本発明のオイル粘度チェッカー５並びにこのものが具えられるオイル供給システムＳは、一例として上述したように構成され、ガソリンスタンド、カー用品店、自動車整備工場等に配備されるものであり、以下その使用態様について説明する。
【００２５】
〔オイル粘度と混合比の選定〕
初めに、「車種」、「年式」、「排気量」、「自動車メーカー推奨のオイル粘度」、「エンジン型式」、「乗り方」、「走行距離」等を判断要素として、一例として図４に示すような予め用意されたチャートに基づいて、ユーザーの車にとって最適なオイルタイプを選定する。
この実施例では、一例としてチャート中の質問Ｑ１〜Ｑ５を以下に示すものとした。
Ｑ１．「愛車は低排出ガス車ですか？」
Ｑ２．「走行距離が３００００キロ以上ですか？」
Ｑ３．「毎日、車に乗りますか？」
Ｑ４．「エンジンをかけてすぐに走り出しますか？」
Ｑ５．「燃費またはエンジン保護のどちらを優先しますか？」
【００２６】
そして図４に示すチャートでは一例として、Ａ、Ｂ、 Ｃ、Ｄ、Ｅ、Ｆ、Ｇ、Ｈ、Ｉの９種のオイルタイプが示されるものであり、更に図５に示す表に基づいて、車種と、前記オイルタイプとから最適なオイル粘度が選定されることとなる。
この実施例では一例として、０Ｗ−２０（低粘度ブレンド基材オイル６のみ）、２．５Ｗ−２５、２．５Ｗ−３０、５Ｗ−３０、５Ｗ−３５、５Ｗ−４０、７．５Ｗ−４０、１０Ｗ−４５及び１０Ｗ−５０（高粘度ブレンド基材オイル７のみ）の九種類のオイル粘度が選択されるようにした。
なおＳＡＥ規格で定められた粘度分類では、低温粘度が５Ｗ、１０Ｗ、１５Ｗ、２０Ｗ、２５Ｗの五種類となっており、高温粘度が２０、４０、５０、６０の四種類となっている。このため例えばＳＡＥ規格５Ｗ−３０として規定されたものでも、実際には粘度の幅がかなりあるが、本発明によれば図６に示すように、ＳＡＥ規格５Ｗ−３０に分類される粘度を、更に細分化した２．５Ｗ−３０、５Ｗ−３０、５Ｗ−３５の粘度のオイルを選択することができる。
因みに上述したようなチャート、表をソフトウェアに組み込むとともに、パソコン等を用いて上記判断要素の入力及び結果の出力を行うようにしてもよい。
【００２７】
次いで、上述のように選定されたオイル粘度を実現するための、前記低粘度ブレンド基材オイル６及び高粘度ブレンド基材オイル７の混合比を、図６に示すような予め用意された混合比表に基づいて決定する。
【００２８】
〔基材オイルの混合〕
次に上記混合比に基づいて低粘度ブレンド基材オイル６及び高粘度ブレンド基材オイル７の混合を行う。
始めに低粘度ブレンド基材オイル６が収容されたオイル缶Ｃ６に装着されたポンプ２０６を操作して、容器８に対して指定量の低粘度ブレンド基材オイル６を取り込んだ後、これをミキサ３における注油口３２に投入する。
次に高粘度ブレンド基材オイル７が収容されたオイル缶Ｃ７に装着されたポンプ２０７を操作して、容器８に対して指定量の高粘度ブレンド基材オイル７を取り込んだ後、これをミキサ３における注油口３２に投入する。
そしてハンドル３１を回してミキサ本体３０内の攪拌体を回転させることにより、低粘度ブレンド基材オイル６と高粘度ブレンド基材オイル７とを満遍なく混ぜ合わせる。
その後、コックレバー３４を解放して排出管３３から容器８内にオイルを排出し、容器８の目盛により、所望量のオイルが調合されたことを確認する。
【００２９】
〔サンプル用オイル充填体の作製〕
次いでサンプル用のオイル充填ケース５１Ｓにインジケータ錘５４Ｓを入れた状態で上記オイルをマーカーＭの部位まで注入し、蓋５２Ｓを嵌めてオイル充填体５０Ｓを構成する。
【００３０】
〔粘度確認〕
次いで、調合されたオイルの粘度確認を行うものであり、図３に示すようにオイル粘度チェッカー５とオイル充填体５０Ｓとを同時に上下反転させることにより、上方に位置することとなったインジケータ錘５４を落下させる。
このとき、各オイルの粘度に応じて、インジケータ錘５４の落下状態が異なるため、オイル充填体５０Ｓのインジケータ錘５４Ｓと同じ落下状態のオイル充填体５０の粘度表示５７により、粘度の確認が行われることとなる。図３に示す実施例ではオイル充填体５０Ｓにおけるインジケータ錘５４Ｓと、オイル充填体５０６におけるインジケータ錘５４との落下状態が同じであり、オイルの粘度が５Ｗ−４０であることが確認できる。
なおオイル粘度チェッカー５とオイル充填体５０Ｓとを同時に上下反転させるにあたっては、これらを完全に上下反転させることなく、オイル室５３の下方に待機しているインジケータ錘５４が上方に位置するようにオイル室５３を傾けた状態とすることによって、インジケータ錘５４をゆっくりと下方に移動させるようにしてもよい。
【００３１】
なお、オイル充填体５０が上下反転されると、インジケータ錘５４が落下するとともに気泡５５が上昇することとなり、この際、気泡５５の上昇状態も各オイルの粘度に応じて異なるものであり、更にインジケータ錘５４と気泡５５とがすれ違うこととなるため、視覚的な面白さを演出することができるようになっている。
【００３２】
またオイル充填体５０Ｓに充填されたオイルの色と、オイル粘度チェッカー５における各オイル充填体５０１〜５０９の色とを比較することにより、粘度の確認を行うこともできる。このように色のみによって粘度の確認を行う場合には、オイル充填ケース５１は、内部が透視できるものであればどんな形状のものであってもよい。
【００３３】
更にまたオイル充填体５０を複数基連接的に設ける形態としては、図２に示したように直線上に配置するものの他に種々の形態が取り得るものであり、例えば図７に示すようにケース５６を平面視円形状のものとし、この円周方向に沿って複数のオイル充填体５０を配置するような形態を採ることもできる。
【００３４】
更にまたインジケータ錘５４に特徴的な動きを持たせるようにすることも可能であり、例えば図８に示すようにインジケータ錘５４を円柱状に形成し、その側周に螺旋溝５４ａを形成することにより、インジケータ錘５４が落下する際に回転を伴うようにすることができる。
【００３５】
なお上述した実施例では、容量２０リットル程度のオイル缶Ｃにポンプ２を直接装着するタイプのオイル供給システムＳについて説明したが、ここで大容量（おおよそ２００リットル以上）のいわゆるドラム缶Ｄからオイルを移し変えて用いるタイプのオイル供給システムＳについて説明する。
具体的には一例として図８に示すような大型給油装置２０が用いられるものであり、この装置は、数十〜百数十リットル程度、一例として容量８０リットルの耐圧性のオイルタンク２３を具えて構成される。
そして前記オイルタンク２３上部には吸込管２１、流出管２２が接続され、更にエゼクタ２７が具えられている。前記吸込管２１の先端には鋼管等を適応した挿入管２４が具えられ、この挿入管２４が図８（ａ）中、仮想線で示すようにドラム缶Ｄに挿入される。一方、前記流出管２２の先端には流量計２５及びオイルガン２６が具えられている。
また前記オイルタンク２３の底部にはキャスタ２９が具えられている。
【００３６】
ここで前記エゼクタ２７について説明すると、このものは送気管２７ａからエアを吹き込み、このエアが排気管２７ｂから排気される際に、吸気管２７ｃから気体を吸い込む機器である。なお前記送気管２７ａにはバルブ２７ｄが具えられ、排気管２７ｂにはバルブ２７ｅが具えられている。
【００３７】
そして前記大型給油装置２０にオイルを充填するにあたっては、以下の手順に従うものである。
〔オイルの充填〕
まず初期状態をバルブ２７ｄ、バルブ２７ｅ、バルブ２１ａが閉じた状態とする。
始めに挿入管２４をオイルが収容されているドラム缶Ｄに挿入する。
次いでエゼクタ２７における送気管２７ａに適宜のホースを用いてコンプレッサ（図示省略）を接続する。
次いでバルブ２７ｄ、バルブ２７ｅ及びバルブ２１ａを解放することにより、エゼクタ２７の吸引作用によって、ドラム缶Ｄ内に位置していたオイルがオイルタンク２３内に取り込まれる。
操作者は、オイルゲージ２３ａを注視し、所望の量のオイルが取り込まれたことを確認した時点でバルブ２７ｄ及びバルブ２１ａを閉じてオイルの供給を停止する。
更にバルブ２７ｅを閉じた状態でバルブ２７ｄ及びバルブ２１ａを開くことにより、吸込管２１及び挿入管２４内に位置しているオイルをドラム缶Ｄ内に戻す。
以上のようにして大型給油装置２０へのオイルの充填が完了したら、バルブ２７ｄ、バルブ２７ｅ、バルブ２１ａを閉じた状態として、挿入管２４をドラム缶Ｄから引き抜き、吸込管２１を取り外す。
【００３８】
〔エアの充填〕
次いでバルブ２７ｄを解放してオイルタンク２３内に圧縮空気を取り込むものであり、エアゲージ２８の数値が所望の値（一例として４ｋｇ／ｃｍ2 ）となった時点でバルブ２７ｄを閉じる。
なお前記エアゲージ２８に減圧弁を具えることにより、オイルタンク２３内の気圧を確実に所望の値（一例として４ｋｇ／ｃｍ2 ）以上にならないようにすることができる。
【００３９】
〔オイルの排出〕
そしてレバー２６ａを操作してオイルガン２６から容器８に所定量のオイルを注入するものであり、前出のように選定されたオイル粘度を実現するための混合比に基づいて、低粘度ブレンド基材オイル６及び高粘度ブレンド基材オイル７の混合を行う。
以上述べたように大型給油装置２０は、ドラム缶Ｄから容易に低粘度ブレンド基材オイル６または高粘度ブレンド基材オイル７を大容量のオイルタンク２３に充填するこができるものであり、大規模の販売業者にとって非常に扱い易いものとなっている。
【００４０】
〔粘度確認〕
次いで、調合されたオイルの粘度確認を行うものであり、前出のようにオイル充填体５０Ｓを作製し、図３に示すようにオイル粘度チェッカー５とオイル充填体５０Ｓとを同時に上下反転させることにより、上方に位置することとなったインジケータ錘５４を落下させ、インジケータ錘５４の落下速度を比較する。
【符号の説明】
【００４１】
Ｓ      オイル供給システム
１      架台
１０    台座
１１    背板
１２    棚板
１３    キャスタ
２      ポンプ
２０    大型給油装置
２０６  ポンプ
２０７  ポンプ
２１    吸込管
２１ａ  バルブ
２２    流出管
２３    オイルタンク
２３ａ  オイルゲージ
２４    挿入管
２５    流量計
２６    オイルガン
２６ａ  レバー
２７    エゼクタ
２７ａ  送気管
２７ｂ  排気管
２７ｃ  吸気管
２７ｄ  バルブ
２７ｅ  バルブ
２８    エアゲージ
２９    キャスタ
３      ミキサ
３０    ミキサ本体
３１    ハンドル
３２    注油口
３３    排出管
３４    コックレバー
５      オイル粘度チェッカー
５０    オイル充填体
５０１  オイル充填体
５０２  オイル充填体
５０３  オイル充填体
５０４  オイル充填体
５０５  オイル充填体
５０６  オイル充填体
５０７  オイル充填体
５０８  オイル充填体
５０９  オイル充填体
５０Ｓ  オイル充填体
５１    オイル充填ケース
５１Ｓ  オイル充填ケース
５２    蓋
５２Ｓ  蓋
５３    オイル室
５４    インジケータ錘
５４ａ  螺旋溝
５４Ｓ  インジケータ錘
５５    気泡
５６    ケース
５７    粘度表示
６      低粘度ブレンド基材オイル
７      高粘度ブレンド基材オイル
８      容器
Ｃ      オイル缶
Ｃ６    オイル缶
Ｃ７    オイル缶
Ｄ      ドラム缶
Ｍ      マーカー
【図１】
2011133432.tif 000003
【図２】
2011133432.tif 000004
【図３】
2011133432.tif 000005
【図４】
2011133432.tif 000006
【図５】
2011133432.tif 000007
【図６】
2011133432.tif 000008
【図７】
2011133432.tif 000009
【図８】
2011133432.tif 000010
【図９】
2011133432.tif 000011